(57)【要約】【課題】ホログラム再生時において使用される参照光の波面形状と、ホログラム記録時における参照光の波面形状との相違によって生じる、再生像取得の困難性や、再生データのＳＮＲの低下を防止しうるホログラム再生装置を提供する。【解決手段】参照光の光路中に、参照光の波面を検出する波面センサ（光検出器）２３と、参照光の波面を調整する波面制御器２１を配設し、ホログラム再生時に、波面センサ２３により検出された参照光の波面形状が、ホログラム記録媒体１１への信号記録時における参照光の波面形状と一致するように、波面制御器２１によりフィードバック制御を行なう。【選択図】図１
2010061718.tif 000002
【特許請求の範囲】
【請求項１】
データ信号を担持した信号光と、参照光とを干渉させ、得られた干渉縞がデータ情報として記録されてなるホログラム記録媒体に対し、該参照光を照射して、該データ情報を担持した再生光を出力させるホログラム再生装置において、
前記参照光の光路中に、該参照光の波面を検出する光検出器と、該参照光の波面を調整する波面制御器を配設し、
該波面制御器においては、該光検出器により検出された参照光の波面形状が、前記ホログラム記録媒体への信号記録時における前記参照光の波面形状となるように調整する、ことを特徴とするホログラム再生装置。
【請求項２】
前記波面制御器における前記参照光の波面形状の調整は、フィードバック制御によりなされることを特徴とする請求項１記載のホログラム再生装置。
【請求項３】
前記波面制御器における前記参照光の波面形状の調整は、前記光検出器により検出された前記参照光の波面形状のゼルニケ係数が、前記ホログラム記録媒体への信号記録時における前記参照光の波面形状のゼルニケ係数に一致するように調整することを特徴とする請求項１または２記載のホログラム再生装置。
【請求項４】
前記参照光の光路中には、前記光検出器方向への光を分岐する光分離手段と前記ホログラム記録媒体との間にランダム位相発生器が設けられていることを特徴とする請求項１から３のうちいずれか１項記載のホログラム再生装置。
【請求項５】
ホログラム記録装置としての機能も備えてなることを特徴とする請求項１から４のうちいずれか１項記載のホログラム再生装置。
【発明の詳細な説明】
【技術分野】
【０００１】
本発明は、波面制御器と光検出器により光を制御するホログラム再生装置、特に、ホログラム再生装置における光波面の制御技術の改良に関するものである。
【背景技術】
【０００２】
近年、情報記録において光ディスクなどの光情報記録媒体が普及しつつある。また、より高速・大容量を目指した次世代光情報記録媒体の研究・開発が活発に行われている。
【０００３】
その中でも、記録容量を大幅に高めることができるという観点から、種々のホログラム記録装置やホログラム再生装置が提案されている。
従来の典型的なホログラム装置は記録機能および再生機能を備えたホログラム記録装置（本明細書中でホログラム記録装置と称するときは、記録機能と再生機能の両者を備えたものとする）であり、例えば図４に示されるように構成されている。
【０００４】
このホログラム記録装置の記録装置部分では、レーザ光源２０１から出射されたコヒーレントなレーザ光束は、発散レンズ２０２およびコリメートレンズ２０３からなるビームエキスパンダにより光束径を拡大され、半波長板２０４を透過し、偏光ビームスプリッタ２０６により２系の光束に分岐され、それぞれ信号光（物体光：実際には空間光変調素子２０８により信号光とされる）および参照光として機能せしめられる。
【０００５】
偏光ビームスプリッタ２０６により分岐された信号光は、偏光ビームスプリッタ２０７を介して空間光変調素子２０８に照射される。
【０００６】
記録すべきデジタル情報はページデータと称される２次元配列に整列され、空間光変調素子２０８に順次表示され、これにより通過する（反射する）光を空間的に変調する。空間光変調素子２０８から出射された信号光は、入射した状態とは偏光方向が変化しており、偏光ビームスプリッタ２０７において反射され、フーリエ変換レンズ２１０によって光学的にフーリエ変換されてホログラム記録媒体２１１へ照射される。このときホログラム記録媒体２１１中の信号光が通過する場所へ、別角度から、偏光ビームスプリッタ２０６で分岐した参照光を同時に照射すると記録媒体２１１内部の体積中に干渉縞が生じ、この縞分布を屈折率分布などの形態で記録媒体２１１の記録領域に転写することによりホログラム記録を行う。
【０００７】
なお、上記光路中には、光束を偏向するための反射ミラー２０５、２２２および光束を適宜通過／遮断するためのシャッタ２０９、２２４が配設されている。
【０００８】
一方、ホログラム記録装置の再生装置部分では、ホログラム記録媒体２１１に記録されたページデータを再生するため、空間光変調素子２０８から出射された信号光をシャッタ２０９により遮蔽し、記録装置において使用した参照光の入射角度と同一角度で、記録媒体２１１に参照光を入射せしめることにより、フーリエ変換レンズ（結像レンズ）２１２を介してＣＣＤ（撮像素子(Charge Coupled Device)）カメラ２１３にて撮像することができる。
【０００９】
このようなホログラム記録装置については、本願発明者等が既に、下記特許文献１、２において、特許庁に開示している。
【００１０】
【特許文献１】特願２００７−２５５３２２号明細書
【特許文献２】特願２００８−１２０７７２号明細書
【特許文献３】特開２００６−７８９４４号公報
【特許文献４】特開２００６−８４４８５号公報
【発明の開示】
【発明が解決しようとする課題】
【００１１】
ところで、光学装置においては、その光路中を進む間にレンズ等の光学素子によって光の波面が歪んでしまう。そして、互いに異なる光学装置間では、光学系の配置を互いに同一にしたとしても、光の波面の歪み方は異なってしまう。したがって、一般に、ホログラム記録装置とホログラム再生装置との間でも、参照光の波面形状が異なったものとなってしまい、そのため、記録時と再生時との間で、参照光が同一の波面形状とならず、再生データのＳＮＲ（ＳＮ比）が低下してしまう、という問題がある。
【００１２】
さらに、上記特許文献３、４に示すような、ランダム位相発生器を用いたセキュアなホログラム記録装置では、再生時においてランダム位相発生器に入射する参照光の波面形状が、記録時における参照光の波面形状と異なっていると、再生像を得ることが困難となる。
【００１３】
本発明は上記事情に鑑みなされたものであり、ホログラム再生時において使用する参照光の波面形状と、ホログラム記録時における参照光の波面形状との相違によって生じる、再生像取得の困難性や、再生データのＳＮＲの低下を防止しうるホログラム再生装置を提供することを目的とするものである。
【課題を解決するための手段】
【００１４】
本発明のホログラム再生装置は、データ信号を担持した信号光と、参照光とを干渉させ、得られた干渉縞がデータ情報として記録されてなるホログラム記録媒体に対し、該参照光を照射して、該データ情報を担持した再生光を出力させるホログラム再生装置において、
前記参照光の光路中に、該参照光の波面を検出する光検出器と、該参照光の波面を調整する波面制御器を配設し、
該波面制御器においては、該光検出器により検出された参照光の波面形状が、前記ホログラム記録媒体への信号記録時における前記参照光の波面形状となるように調整する、ことを特徴とするものである。
【００１５】
また、前記波面制御器における前記参照光の波面形状の調整は、フィードバック制御によりなされることが好ましい。
【００１６】
また、前記波面制御器における前記参照光の波面形状の調整は、前記光検出器により検出された前記参照光の波面のゼルニケ係数が、前記ホログラム記録媒体への信号記録時における前記参照光の波面のゼルニケ係数に一致するように調整することが好ましい。
【００１７】
また、前記参照光の光路中には、前記光検出器方向への光を分岐する光分離手段と前記ホログラム記録媒体との間にランダム位相発生器が設けられていることが好ましい。
【００１８】
さらに、本発明のホログラム再生装置は、ホログラム記録装置としての機能も備えてなるものとすることができる。
【発明の効果】
【００１９】
本発明のホログラム再生装置においては、前記参照光の光路中に、該参照光の波面を検出する光検出器と、該参照光の波面を調整する波面制御器を配設し、該波面制御器において、該光検出器により検出された参照光の波面形状が、ホログラム記録媒体への信号記録時における前記参照光の波面形状となるように調整するように構成されている。
【００２０】
このような、容易かつ簡易な構成によって、記録時と再生時の参照光の波面形状を一致させるようにしているので、これら両参照光の波面形状の相違によって生じる、再生像取得の困難性や、再生データのＳＮＲの低下を容易かつ簡易に防止することが可能となる。
【発明を実施するための最良の形態】
【００２１】
以下、図面を参照して本発明の実施形態について説明する。
図１は本発明の実施例１に係るホログラム記録装置（本発明に係るホログラム再生装置の一態様である）の主要光学系を説明するための概略図である。以下、本装置を情報記録機能（ホログラム記録部）と情報再生機能（ホログラム再生部）とに分けて説明する。
【００２２】
＜情報記録機能（ホログラム記録部）＞
図１に示すように、レーザ光源１から出射されたコヒーレントなレーザ光束は、発散レンズ２およびコリメートレンズ３からなるビームエキスパンダにより光束径を拡大され、半波長板４を透過し反射ミラー５により反射された後、偏光ビームスプリッタ６により２系の光束に分岐され、それぞれ信号光（物体光：実際には空間光変調素子８により信号光とされる）および参照光として機能せしめられる。
【００２３】
上記参照光は、波面制御器２１により反射され、波面センサ２３方向に光を分岐するハーフミラー２２および光束を適宜通過／遮断するためのシャッタ２４を介してホログラム記録媒体１１上の所定の領域に照射される。
一方、上記信号光は、偏光ビームスプリッタ７を介して空間光変調素子８に照射される。
【００２４】
空間光変調素子８としては、液晶表示パネルやＤＭＤ（デジタルマイクロミラーデバイス：Digital Micromirror Device）等のライトバルブが用いられる。空間光変調素子８上の各ピクセルがページデータ上の２値のデジタル情報に応じて光を通過（図１の例では反射）／遮断することで、空間的に光を変調する。この変調処理によりページデータ情報を担持した信号光が生成される。
【００２５】
空間光変調素子８から出射された信号光は、入射した状態とは偏光方向が変化しており、偏光ビームスプリッタ７において反射され、シャッタ９を通過した後フーリエ変換レンズ（ＦＴＬ：Fourier Transform Lens）１０によって光学的にフーリエ変換されてホログラム記録媒体１１へ照射される。このときホログラム記録媒体１１中の信号光が照射される領域へ、別角度から、上記参照光が同時に照射されるので、記録媒体１１内部の体積中に干渉縞が生じ、この縞分布を屈折率分布などの形態で記録媒体１１の記録領域に転写することによりホログラム記録が行われる。
【００２６】
また、例えば、異なるページデータを、空間光変調素子８に順次表示させつつ、参照光のホログラム記録媒体１１への入射角度を少しずつ変化させることにより、互いに異なるページデータを記録媒体１１中の同一領域へ多重記録することが可能となり、より高密度な情報格納が可能となる。
【００２７】
＜情報再生機能（ホログラム再生部）＞
次に、情報再生時において、レーザ光源１から出射された参照光は、発散レンズ２、コリメートレンズ３、半波長板４、反射ミラー５、偏光ビームスプリッタ６、波面制御器２１、ハーフミラー２２およびシャッタ２４を介してホログラム記録媒体１１上の所定の領域に照射される。すなわち、シャッタ２４を通過した参照光は、情報記録時と同様の入射角度および位置において、ホログラム記録媒体１１の所定の領域に照射される。なお、シャッタ９は閉じた状態とされるため、信号光はホログラム記録媒体１１上に照射されない。
【００２８】
すなわち、所望のページデータを再生する場合には、この所望のページデータを記録した情報記録時と同一の参照光入射条件となるように設定し、参照光を、波面制御器２１等を介してホログラム記録媒体１１に入射せしめ、所望のページデータ情報を担持した再生光（回折光）をホログラム記録媒体１１から出力せしめる。この再生光はフーリエ変換レンズ１２を介してＣＣＤカメラ１３の撮像面に結像される。このようにしてホログラム記録媒体１１における光回折により得られた再生光は、ＣＣＤカメラ１３にて情報取得がなされることになる。なお、ＣＣＤカメラ１３において撮像された再生像情報（強度分布情報を含む）と波面センサ２３により得られた参照光波面情報は計測制御装置４０に送出される。
【００２９】
そして、上述したように、上記波面制御器２１により設定される光波面の態様は、計測制御装置４０からの指示信号（入力された参照光波面情報に応じて設定される）に基づいて、制御されるようになっている。すなわち、参照光は計測制御装置４０からの指示信号に応じ、波面制御器２１によって波面が制御されることになる。
【００３０】
ところで、光学装置においては、その光路中を進む間にレンズ等の光学素子によって光の波面が歪んでしまう。そして、互いに異なる光学装置間では、光学系の配置を互いに同一にしたとしても、光の波面の歪み方は異なってしまう。したがって、一般に、ホログラム記録装置とホログラム再生装置との間でも、参照光の波面形状が異なったものとなってしまい、そのため、記録時と再生時との間で、参照光が同一の波面形状とならず、再生データのＳＮＲ（ＳＮ比）が低下してしまう、という問題がある。
【００３１】
そこで、本実施形態のものでは、再生時に波面センサ２３により検出された参照光波面形状が、記録時におけるホログラム記録媒体１１に入射した際の参照光波面形状と整合するように、波面制御器２１により制御するようになっている。なお、参照光の光路中に設けられたハーフミラー２２により分岐された参照光は、一方は記録媒体１１に到達するのに対して、他方は波面センサ２３に到達するようにし、両者に到達した際の参照光波面形状が略一致するように構成する。
【００３２】
＜参照光の波面制御＞
まず、記録時において、参照光波面形状の指標としてゼルニケ係数Ｚrecを測定する。この場合のゼルニケ係数Ｚrecは、記録時において波面センサ２３によって測定する。
【００３３】
一方、再生時においては、始めに、波面制御器２１の各駆動部の設定値（例えば、各駆動部を動作させるのに必要な電圧値）と、そのときの参照光波面のゼルニケ係数から、この系の伝達関数を求める。
【００３４】
次に、記録時の参照光波面のゼルニケ係数Ｚrecを、後述する式（５）に代入し、この式に基づき再生時の参照光波面のゼルニケ係数が記録時のゼルニケ係数と一致するように波面制御器２１によりフィードバック制御を行なう。
【００３５】
これにより記録時と再生時の参照光波面形状を一致させることができる。このときの再生像はＣＣＤカメラ１３等により撮像する。
【００３６】
上記参照光の波面制御は、伝達関数を用いたフィードバック制御を用いる（E. J. Fernandez, and P. Artal, “Membrane deformable mirror for adaptive optics: performance limits in visual optics”, Opt. Exp., Vol.11, No.9, pp.1056-1069,2003を参照）。このフィードバック制御においては、上述したように、まず、波面制御器２１の各駆動部の設定値と、そのときの波面センサ２３で測定したゼルニケ係数に基づきこの系の伝達関数を求める。
【００３７】
すなわち、入力ベクトルを波面制御器２１の駆動部の設定値Ｄとし、出力ベクトルをゼルニケ係数Ｚ、伝達関数行列をＡとすると、下式（１）〜（４）で表される。
【００３８】
【数１】
2010061718.tif 000003
【００３９】
式（２）中のｄvは波面制御器の駆動部No.ｖの設定値、式（３）中のｚuは出力光のｕ次のゼルニケ係数、式（４）中のａuvは比例定数である。フィードバック制御は、ｉ回目の波面制御器の設定値をＤi、このときのゼルニケ係数をＺi、所望のゼルニケ係数をＺreq、比例定数をβとすると、下式（５）により表すことができる。
【００４０】
【数２】
2010061718.tif 000004
【００４１】
記録時の参照光波面形状を得るためには、式（５）のＺreqを記録時の参照光波面のゼルニケ係数Ｚrecとする。式（５）を用いて繰り返し制御を行なうことにより、再生時の参照光波面形状を記録時の参照光波面形状と一致させることができる。
【００４２】
図２にフィードバックの回数と参照光波面のゼルニケ係数の関係を示す。
ここでは、記録時の参照光波面は平面波であるため、再生時の参照光波面形状が、下記（６）式を満足するように制御を行なう。
【００４３】
【数３】
2010061718.tif 000005
【００４４】
図３は、上記実施例１のものの変形例である実施例２を示す概略図である。この実施例２においては、実施例１の構成部材と対応する構成部材については、その実施例１の構成部材に付された符号に１００を加えた符号にて表して、重複する詳細な説明は、簡便のため省略する。したがって、以下では、主として実施例１と異なる部分について説明する。
【００４５】
この実施例２のホログラム記録装置においては、参照光路中のハーフミラー１２２と記録媒体１１１の間にランダム位相発生器１２５が設けられている。
ここで、ランダム位相発生器とは、位相がそろった光を入力したとき、出力光の位相をランダムとする機能を有する素子をいう。
【００４６】
再生時の参照光波面の制御方法は、実施例１と同様の手法によって、始めに伝達関数を求め、記録時における参照光波面のゼルニケ係数Ｚrecと一致するように、再生時の参照光波面をフィードバック制御により設定する。
【００４７】
記録時の参照光波面形状に一致した再生時の参照光波面形状をランダム位相発生器１２５を通して記録媒体１１１に照射し、このときの再生像をＣＣＤカメラ１１３により撮像することにより、ＳＮＲの良好な再生データが得られることになる。
【００４８】
なお、上述した波面制御器２１、１２１としては、液晶パネルやデフォーマブルミラー等を用いることが可能である。
【００４９】
また、上記波面センサ２３、１２３としてはシャックハルトマンセンサを用いることが可能である。
【００５０】
なお、本発明のホログラム再生装置としては上記実施形態のものに限られるものではなく、その他の種々の態様の変更が可能である。例えば、装置の光学系を構成する部材の配置としては、必ずしも上記実施形態のものに限られるものではない。
【００５１】
また、上記実施例のものにおいては、波面の制御手法としてフィードバック制御を用いているが、本発明者等が既に特許庁に開示している特願２００７−２５５３２２号明細書等に記載されている遺伝的アルゴリズムを用いた制御等の他の制御手法を用いることが可能である。
【００５２】
また、上記実施形態のものは、再生機能と記録機能を有するホログラム記録装置が示されているが、本発明のホログラム再生装置は、記録機能を備えていないホログラム再生装置とすることも可能であり、本発明のホログラム再生装置の作用効果は、むしろこのような、記録機能を備えていないホログラム再生装置に対して、より有効に発揮しうるものである。
【図面の簡単な説明】
【００５３】
【図１】本発明の実施例１に係るホログラム再生装置（ホログラム記録装置）の主要光学系を示す概略図
【図２】本発明の波面制御に用いるフィードバック回数とゼルニケ係数との関係を表わすグラフ
【図３】本発明の実施例２に係るホログラム再生装置（ホログラム記録装置）の主要光学系を示す概略図
【図４】従来技術に係るホログラム再生装置の主要光学系を示す概略図
【符号の説明】
【００５４】
１、１０１、２０１      レーザ光源
２、１０２、２０２      発散レンズ
３、１０３、２０３      コリメートレンズ
４、１０４、２０４      半波長板
５、１０５、２０５、２２２      ミラー
６、７、１０６、１０７、２０６、２０７      偏光ビームスプリッタ
８、１０８、２０８      空間光変調素子
９、２４、１０９、１２４、２０９、２２４      シャッタ
１０、１２、１１０、１１２、２１０、２１２    レンズ
１１、１１１、２１１      ホログラム記録媒体
１３、１１３、２１３      ＣＣＤカメラ
２１、１２１      波面制御器
２２、１２２      ハーフミラー
２３、１２３      波面センサ
４０、１４０      計測制御装置
１２５      ランダム位相発生器
【図１】
2010061718.tif 000006
【図２】
2010061718.tif 000007
【図３】
2010061718.tif 000008
【図４】
2010061718.tif 000009